(57)【要約】【課題】  ＣＤＭＡ受信機で、ポストプロセシングを効果的に行う。【解決手段】  拡散コード出力手段１と、チャネル推定のためのパス列を生成するパス列生成手段２と、ポストプロセシング手段３と、復調手段４を備える。ポストプロセシング手段３は、パス列又はパス列のパス毎に複数のスロットについてレベルを平均化した結果に基づいて、最大レベルのパスと第２番目のレベルのパスとのレベル比と第１のしきい値との大小を比較して選択するパスの数を決定し、決定したパスの数だけパス列において上位のレベルを有するパスから順に選択して除去して残りのパスについて平均化したレベルを検出して第２のしきい値を決定し、選択したパスを除いたパス列の各々のパスのレベルと第２のしきい値との大小を比較して、第２のしきい値以下又は未満のレベルを有するパスをパス列から除去した有効パス列を取得する。【選択図】  図１
2007129385.tif 000002
【特許請求の範囲】
【請求項１】
ＣＤＭＡ方式により拡散コードを用いて拡散された受信信号を処理するＣＤＭＡ受信機において、
拡散コードを出力する拡散コード出力手段と、
前記受信信号について前記出力された拡散コードを用いて逆拡散を行ってチャネル推定のためのパス列を生成するパス列生成手段と、
前記生成されたパス列又は前記生成されたパス列のパス毎に複数のスロットについてレベルを平均化した結果に基づいて最大レベルのパスと第２番目のレベルのパスを検出し、当該最大レベルのパスと当該第２番目のレベルのパスとのレベル比と第１のしきい値との大小を比較して当該比較結果に基づいて選択するパスの数を決定し、当該決定したパスの数だけ前記パス列において上位のレベルを有するパスから順に選択して除去して残りのパスについて平均化したレベルを検出し、当該検出した平均化したレベルに基づいて第２のしきい値を決定し、前記選択したパスを除いた前記パス列の各々のパスのレベルと前記第２のしきい値との大小を比較して、前記第２のしきい値以下又は未満のレベルを有するパスを前記パス列から除去した有効パス列を取得するポストプロセシング手段と、
前記取得された有効パス列に基づいて前記受信信号を復調する復調手段と、
を備えたことを特徴とするＣＤＭＡ受信機。
【発明の詳細な説明】
【技術分野】
【０００１】
本発明は、ＣＤＭＡ（Ｃｏｄｅ  Ｄｉｖｉｓｉｏｎ  Ｍｕｌｔｉｐｌｅ  Ａｃｃｅｓｓ）方式により信号を受信するＣＤＭＡ受信機に関し、特に、受信信号のポストプロセシングを効果的に行うＣＤＭＡ受信機に関する。
【背景技術】
【０００２】
ＩＭＴ−２０００の規格方式の一つとして、ＣＤＭＡ方式にＴＤ（Ｔｉｍｅ  Ｄｉｖｉｓｏｎ）方式を適用したＴＤ−ＣＤＭＡ方式やＴＤ−ＳＣＤＭＡ（ＴＤ−Ｓｙｎｃｈｒｏｎｏｕｓ  ＣＤＭＡ）方式がある。
ここでは、ＴＤ−ＳＣＤＭＡ方式を例として説明する。
ＴＤ−ＳＣＤＭＡ方式では、基地局装置における上りの周波数と下りの周波数を共通とし、チップレート１．２８Ｍｃｐｓで、１つのフレームを２つのサブフレームに分割し、更に７つのタイムスロットに分割し、上り信号と下り信号をタイムスロット単位で時分割多重して通信を行う。
【０００３】
ＴＤ−ＳＣＤＭＡ方式を採用するＣＤＭＡ受信機は、例えば、後述する本発明の実施例で参照する図１に示されるのと同様な構成を有している。ここでは、説明の便宜上から、図１に示されるのと同一の符号を用いて説明する。また、ＴＤ−ＳＣＤＭＡ方式における１タイムスロットは、例えば、後述する本発明の実施例で参照する図２に示されるような構成を有している。
このようなＣＤＭＡ受信機では、チャネル推定部２により、伝播路のマルチパス反射の受信タイミングにピークを持つ信号であるチャネル推定パス列を検出した後に、ポストプロセシング部３により、雑音及び他ユーザの拡散コードが干渉となってチャネル推定パス列に現れた本来のピーク以外のピークを除去することが行われ、これにより、後段におけるデータ復調部４の受信性能を向上させることが図られている。
【０００４】
図６には、ポストプロセシングの処理の一例を表すフローチャートを示してある。
まず、チャネル推定部２からの出力であるＬ個のチャネル推定パス列の中から振幅の大きいｎ個のパスを予備選択ピークパスとして選択する（ステップＳ２１）。ここで、通常、１チップ（ｃｈｉｐ）間隔で、Ｌとしては１６チップ（例えば、１２．５μｓ及び３．７ｋｍに対応）程度のサンプルデータを出力する。また、ｎは、通常、１〜２程度である。
次に、選択されたｎ個の予備選択ピークパスを除いた残りの（Ｌ−ｎ）個のパス列の電力値の総和から１パス当りの平均電力を算出する（ステップＳ２２）。
次に、１パス当りの平均電力のα倍の値をしきい値として使用するように設定する（ステップＳ２３）。ここで、通常、αは２〜８程度である。
そして、前記（Ｌ−ｎ）個のパス列について、順次、電力値をしきい値と比較し（ステップＳ２４）、電力値がしきい値以下であるパスを０クリアする（ステップＳ２５）。
【０００５】
このようなポストプロセシングを施して、受信伝播路の壁面等での反射により生起されるマルチパス以外の、雑音や他ユーザ干渉等によって発生したパスの影響を取り除くことにより、後段のデータ復調特性を改善する効果が得られる。
【発明の開示】
【発明が解決しようとする課題】
【０００６】
しかしながら、上記のようなＣＤＭＡ受信機におけるポストプロセシングでは、予備選択ピークパスを選択する数ｎが固定的に設定されているため、受信特性改善の効果が低減してしまうことがあるといった不具合があった。
ここで、図７及び図８により示されるポストプロセシングの特性比較例を参照して、このような不具合を具体的に説明する。
図７には、受信伝播路が１パスモデルである場合に、予備選択ピークパスを選択する数ｎの違いが受信特性に与える性能の違いを示してある。
図８には、受信伝播路が４パスモデルである場合に、予備選択ピークパスを選択する数ｎの違いが受信特性に与える性能の違いを示してある。
図７及び図８では、同時受信ユーザ数が８である場合を示しており、横軸は逆拡散後のＳＩＲ（Ｓｉｇｎａｌ  ｔｏ  Ｉｎｔｅｒｆｅｒｅｎｃｅ  Ｒａｔｉｏ）［ｄＢ］を示しており、縦軸は誤り率（ＢＥＲ）を示している。
【０００７】
図７に示されるように、１パスモデルではｎ＝１の場合の方がｎ＝２の場合よりも特性が優れているのに対して、図８に示されるように、４パスモデルではｎ＝２の場合の方がｎ＝１の場合よりも特性が優れている。このように伝播路の特性により最適なｎが変わるため、ｎを固定することは必ずしも得策ではない。
本発明は、このような従来の課題を解決するために為されたもので、受信信号のポストプロセシングを効果的に行うことができるＣＤＭＡ受信機を提供することを目的とする。
【課題を解決するための手段】
【０００８】
上記目的を達成するため、本発明に係るＣＤＭＡ受信機では、次のような構成により、ＣＤＭＡ方式により拡散コード（送信側の拡散コード）を用いて拡散された受信信号を処理する。
すなわち、拡散コード出力手段が、拡散コードを出力する。パス列生成手段が、前記受信信号について、前記出力された拡散コードを用いて逆拡散を行って、チャネル推定のためのパス列を生成する。ポストプロセシング手段が、所定のポストプロセシングの処理を行って、有効パス列を取得する。復調手段が、前記取得された有効パス列に基づいて、前記受信信号を復調する。
前記所定のポストプロセシングの処理として、前記ポストプロセシング手段は、前記生成されたパス列（又は、前記生成されたパス列のパス毎に複数のスロットについてレベルを平均化した結果）に基づいて、最大レベルのパスと第２番目のレベルのパスを検出し、当該最大レベルのパスと当該第２番目のレベルのパスとのレベル比と第１のしきい値との大小を比較して、当該比較結果に基づいて選択するパスの数を決定し、当該決定したパスの数だけ前記パス列において上位のレベルを有するパスから順に選択して除去して残りのパスについて平均化したレベルを検出し、当該検出した平均化したレベルに基づいて第２のしきい値を決定し、前記選択したパスを除いた前記パス列の各々のパスのレベルと前記第２のしきい値との大小を比較して、前記第２のしきい値以下（又は、未満）のレベルを有するパスを前記パス列から除去した有効パス列を取得する。
【０００９】
従って、チャネル推定のためのパス列について、最大レベルのパスと第２番目のレベルのパスとのレベル比に基づいて選択するパスの数を決定する態様でポストプロセシングの処理が行われるため、例えば、伝播路におけるマルチパスの数などのような伝播路の状況に応じて、受信信号のポストプロセシングを効果的に行うことができる。
【００１０】
ここで、ＣＤＭＡ方式としては、種々な方式が用いられてもよい。
また、送信側の拡散コードと受信側の拡散コードとしては、互いに対応するものが用いられ、例えば、同一のコードが用いられる。また、拡散コードとしては、例えば、ユーザ（例えば、携帯端末装置など）毎に固有のコードが用いられる。
また、拡散コード出力手段としては、例えば、拡散コードを生成する手段、或いは、拡散コードをメモリに記憶する手段を用いることができる。
【００１１】
また、チャネル推定のためのパス列としては、例えば、受信信号と拡散コードとの相関結果の列を用いることができ、具体的には、受信信号における時間的に並んだ複数のタイミング（複数のパスに対応するタイミング）のそれぞれについて相関結果を求めたものを用いることができる。通常、このような相関結果のレベルが大きいピークの方が送信側から送信された信号のマルチパスである可能性が高く、一方、このような相関結果のレベルが小さいピークの方が雑音等である可能性が高い。
【００１２】
また、最大レベルのパスと第２番目のレベルのパスを検出する場合には、一例として、生成されたパス列のパス毎に複数のスロットについてレベルを平均化した結果を用いるのが好ましいが、他の例として、生成されたパス列（平均化していないもの）を用いることも可能である。
また、最大レベルのパスと第２番目のレベルのパスとのレベル比に関するしきい値（第１のしきい値）としては、使用状況などに応じて、種々な値が用いられてもよい。一例として、（最大レベルのパス／第２番目のレベルのパス）の値が大きい場合には選択するパスの数を少なくし、小さい場合には選択するパスの数を多くする。
【００１３】
また、有効パス列を取得するために除去するパスを決定するためのしきい値（第２のしきい値）としては、種々な値が用いられてもよく、例えば、送信側から送信された信号のマルチパスについては有効パス列に残す一方、雑音等のパスについては有効パス列から除去するような値が用いられる。
また、有効パス列に基づいて受信信号を復調する態様としては、種々な態様が用いられてもよく、例えば、有効パス列に含まれている（残っている）パスの位置（タイミング）で受信信号と拡散コードとの相関を取って送信側から送られたデータ（送信側で拡散される前のデータ）を再生することや、マルチパスが複数ある場合にＲＡＫＥ合成等することを行うことができる。
【発明の効果】
【００１４】
以上説明したように、本発明に係るＣＤＭＡ受信機によると、受信信号についてポストプロセシングの処理を行うに際して、チャネル推定のためのパス列又はそれを平均化したものに基づいて、最大レベルのパスと第２番目のレベルのパスとのレベル比としきい値（第１のしきい値）との大小を比較して、当該比較結果に基づいて選択するパス（例えば、予備選択ピークパス）の数を決定するようにしたため、受信信号のポストプロセシングを効果的に行うことができる。
【発明を実施するための最良の形態】
【００１５】
本発明に係る実施例を図面を参照して説明する。
図１には、本発明の一実施例に係るＴＤ−ＳＣＤＭＡ方式を採用するＣＤＭＡ受信機の受信部の構成例を示してある。本例のＣＤＭＡ受信機は、デジタル無線伝送システムのＣＤＭＡ受信装置に設けられている。
本例のＣＤＭＡ受信機は、拡散コード生成部１と、チャネル推定部２と、ポストプロセシング部３と、データ復調部４を備えている。
【００１６】
図２には、ＴＤ−ＳＣＤＭＡ方式における１タイムスロットの構成例を示してある。
１タイムスロットは、中央に位置する１４４チップのｍｉｄａｍｂｌｅ（ミドアンブル）と、その前段と後段に位置する各々３５２チップのＤａｔａ  Ｓｙｍｂｏｌ（データシンボル）と、最後段に位置する１６チップのＧｕａｒｄ  Ｐｅｒｉｏｄ（ガードピリオド）から構成される。
本例のデジタル無線伝送システムでは、ＣＤＭＡ送信機を有したＣＤＭＡ送信装置（図示せず）から本例のＣＤＭＡ受信機を有したＣＤＭＡ受信装置へ上記のようなタイムスロットの信号が複数連続して無線送信される。
【００１７】
本例のＣＤＭＡ受信機により行われる受信処理の動作例を示す。
ＣＤＭＡ送信機（図示せず）から無線により送信されたＴＤ−ＳＣＤＭＡ方式の信号が伝播路を経由して受信され、当該受信信号がチャネル推定部２及びデータ復調部４に入力される。この受信信号は、ＣＤＭＡ送信機により各拡散コードを用いて拡散された信号となっており、図２に示されるようなタイムスロットの信号となっている。
拡散コード生成部１は、チャネル推定部２において使用される各拡散コードを生成してチャネル推定部２へ出力する。ここで、ＴＤ−ＳＣＤＭＡ方式では、拡散コードはｍｉｄａｍｂｌｅのコードに相当しており、拡散符号長としては１６チップで拡散するものが用いられる。また、各拡散コードは、例えば、送信側で使用される各送信拡散コードと同一であり、受信側で使用される各受信拡散コードに相当する。また、例えば、各ユーザ毎に対応した拡散コードが用いられ、各ユーザ毎に受信信号の処理が行われる。
チャネル推定部２は、拡散コード生成部１から入力される各拡散コードと入力される受信信号のｍｉｄａｍｂｌｅのコードとの相関処理により、伝播路状況の推定処理を行い、チャネル推定パス列をポストプロセシング部３へ出力する。
【００１８】
ここで、チャネル推定パス列は、伝播路におけるマルチパス反射の受信タイミングにピークを持つ信号であるが、雑音及び他ユーザの拡散コードが干渉となって本来のピークタイミング以外にもピークが立つため、これを除去する必要がある。この除去が、ポストプロセシング部３により行われる。
また、本例では、チャネル推定パス列の数Ｌとして、１チップ間隔で、長さが１６チップのものを用いている。この推定範囲を更新する制御としては、例えば、パスの検索を行う機能を有したパスサーチ部（図示せず）により常に割り当てられる。理想的には、チャネル推定パス列において、マルチパスの中で最も遅延の少ないパス（先行波）が１６チップの先頭に位置するように調整するのが好ましいが、実際には、２、３チップ前に余裕を持つことが行われる可能性もある。
【００１９】
ポストプロセシング部３は、チャネル推定部２から入力されるチャネル推定パス列に対して、本来のピーク以外のチャネル推定パス列内の位置を０クリアするポストプロセシングの処理を行い、当該処理後のチャネル推定パス列（有効パス列）をデータ復調部４へ出力する。このようなポストプロセシングにより、後段のデータ復調部４の受信性能を向上させることができる。
データ復調部４は、入力される受信信号について、ポストプロセシング部３から入力されるポストプロセシング後のチャネル推定パス列に基づいて、他ユーザコードの干渉を除去して復調し、これにより得られる復調データを出力する。
なお、データ復調では、一般に、ＲＡＫＥ受信や、ジョイントデテクション技術などが用いられる。ジョイントデテクション技術は、送信拡散コードが既知であることを利用して、送信拡散コード間の干渉を取り除いて受信特性を改善する方式であり、ＴＤ−ＳＣＤＭＡ方式ではジョイントデテクションの使用を前提としてシステムが構築されている。
【００２０】
図３を参照して、本例のポストプロセシング部３により行われるポストプロセシングの処理の手順の一例を示す。
図３には、本例のポストプロセシングの処理の一例を表すフローチャートを示してある。
本例のポストプロセシング部３では、各受信拡散コード毎に、複数のスロットについて、過去からのチャネル推定パスの平均電力を計算する（ステップＳ１）。具体的には、指数重み付け平均等により同一の受信拡散コード（同一のユーザ）の受信伝播路変動を複数スロット観測するため、（式１）により平均電力を計算する。
（数１）
Ａｖ（ｉ，ｔ，ｊ）＝Ａｖ（ｉ，ｔ，ｊ−１）×λ
＋Ｄ（ｉ，ｔ）×（１−λ）
・・（式１）
【００２１】
ここで、Ａｖ（ｉ，ｔ，ｊ）はユーザｉより受信したチャネル推定パスのｔ番目のタイミングのパスの時刻ｊでの平均電力値であり、Ｄ（ｉ，ｔ）は当該スロットでユーザｉより受信したチャネル推定パスのｔ番目のタイミングのパスの電力値であり、λは平均化のための指数重み付け係数であり例えば０．５〜０．９５の範囲の値をとる。ここで、Ｄ（ｉ，ｔ）のようなパスの電力値は、例えば、相関法により、スロットのｍｉｄａｍｂｌｅ部で相関を取って算出される。
【００２２】
次に、各ユーザｉ毎に、ｔ＝１〜Ｌの中で、最大となるＡｖ（ｉ，ｔ，ｊ）＝Ｍａｘ（ｉ）を最大電力パスとして求めるとともに、２番目に最大となるＡｖ（ｉ，ｔ，ｊ）＝Ｎｅｘｔ（ｉ）を第２番目電力パスとして求める（ステップＳ２）。
次に、各ユーザｉ毎に、電力比Ａ（ｉ）＝Ｍａｘ（ｉ）／Ｎｅｘｔ（ｉ）を計算する（ステップＳ３）。
次に、各ユーザｉ毎に、電力比Ａ（ｉ）としきい値βとの大小を比較する（ステップＳ４）。ここで、しきい値βは、例えば、２〜４の範囲の値をとる。
【００２３】
電力比Ａ（ｉ）がしきい値βより小さい場合には、チャネル推定パス選択数（予備選択ピークパスの数）ｐをｚとして、チャネル推定パス（例えば、現時点のもので、平均化していないもの）のうち、電力の大きい上位のｐ（＝ｚ）個のパスを選択する（ステップＳ５）。ここで、ｚは通常２程度であり、本例では、ｚ＝２とする。
そして、各ユーザｉ毎に、Ｌ個のチャネル推定パス（例えば、現時点のもので、平均化していないもの）から電力の大きい上位のｐ（＝ｚ）個のパスを除いた（Ｌ−ｐ）個のパスの平均電力Ｎａｖを計算する（ステップＳ６）。
【００２４】
一方、電力比Ａ（ｉ）がしきい値β以上である場合には、チャネル推定パス選択数（予備選択ピークパスの数）ｐをｍとして、チャネル推定パス（例えば、現時点のもので、平均化していないもの）のうち、電力の大きい上位のｐ（＝ｍ）個のパスを選択する（ステップＳ７）。ここで、ｍは通常１程度であり、本例では、ｍ＝１とする。
そして、各ユーザｉ毎に、Ｌ個のチャネル推定パス（例えば、現時点のもので、平均化していないもの）から電力の大きい上位のｐ（＝ｍ）個のパスを除いた（Ｌ−ｐ）個のパスの平均電力Ｎａｖを計算する（ステップＳ８）。
【００２５】
次に、各ユーザｉ毎に、しきい値γ＝平均電力Ｎａｖ×αを求める（ステップＳ９）。ここで、αは、例えば、２〜４の範囲の値をとる。
次に、各ユーザｉ毎に、電力の大きい上位のｐ個のパスを除いた（Ｌ−ｐ）個のチャネル推定パス（例えば、現時点のもので、平均化していないもの）のそれぞれについて、順次、電力値をしきい値γと比較し（ステップＳ１０）、電力値がしきい値γ以下であるパスを除去（０クリア）する（ステップＳ１１）。
【００２６】
本例のようなポストプロセシングでは、予め各ユーザの受信伝播路状況を把握することにより、チャネル推定パス選択数ｐを適切に決めることができる。
例えば、図７に示される１パスモデルのように受信伝播路のマルチパス数が少ない状況では、電力比Ａ（ｉ）がしきい値β以上となり（或いは、その可能性が高く）、ｐ＝ｍ（本例では、１）が採用されるため、図７に示されるｎ＝１の場合のように良好な誤り率特性を得ることができる。一方、例えば、図８に示される４パスモデルのように受信伝播路のマルチパス数が多い状況では、電力比Ａ（ｉ）がしきい値βより小さくなり（或いは、その可能性が高く）、ｐ＝ｚ（本例では、２）が採用されるため、図８に示されるｎ＝２の場合のように良好な誤り率特性を得ることができる。
このように、受信伝播路の状況に応じてチャネル推定パス選択数ｐを適切に決めることにより、受信伝播路の状況に応じて適切な受信性能を得ることができる。
【００２７】
図４及び図５を参照して、本例のポストプロセシングにより得られる効果の具体例を示す。
図４には、受信伝播路が１パスモデルである場合について示してある。
図４（１）に示されるように、事前に１パスを予備選択して平均電力の算出から除去するときには、本来のマルチパスのみが除去されて、残りの雑音等の平均電力からしきい値が求められることにより、本来のマルチパスである１パス以外の全てのパスを０クリアすることができ（或いは、その可能性が高く）、良好な特性を得ることができる。
一方、図４（２）に示されるように、事前に２パスを予備選択して平均電力の算出から除去するときには、本来のマルチパスばかりでなく雑音等のピークも除去されて、残りの雑音等の平均電力からしきい値が求められることにより、本来のマルチパスとともに予備選択した雑音等のピークも０クリアされずに残留してしまい（或いは、その可能性が高く）、特性の劣化が生じてしまう。
【００２８】
図５には、受信伝播路が４パスモデルである場合について示してある。
図５（１）に示されるように、事前に１パスを予備選択して平均電力の算出から除去するときには、本来のマルチパスの１パスのみが除去されて、他の３パスのマルチパス及び残りの雑音等の平均電力からしきい値が求められることにより、当該平均電力が押し上げられることから当該しきい値が押し上げられ、本来のマルチパスであるパスまで０クリアしてしまう可能性があり、特性の劣化が生じてしまう。
一方、図５（２）に示されるように、事前に２パスを予備選択して平均電力の算出から除去するときには、本来のマルチパスの２パスが除去されて、他の２パスのマルチパス及び残りの雑音等の平均電力からしきい値が求められることにより、当該平均電力が押し上げられる程度が小さくなることから当該しきい値が押し上げられる程度が小さくなり、本来のマルチパスである４パスが残り（或いは、その可能性が高く）、良好な特性を得ることができる。
【００２９】
以上のように、本例のＣＤＭＡ受信機では、拡散コードを生成する拡散コード生成部１と、当該拡散コードと受信信号との逆拡散処理を行ってチャネル推定パス列を生成するチャネル推定部２と、当該チャネル推定パス列から電力の大きいパスをピークパスとして選択して他の電力の小さいパス列を０クリアして有効パス列を抽出するポストプロセシング部３と、当該有効パス列と当該受信信号を用いて受信データを復調して出力するデータ復調部４を備えた。
そして、ポストプロセシング部３は、チャネル推定パス列のパス毎の電力の複数スロットに渡る平均化を行って平均チャネル推定パス列を出力する機能と、そのうちの最大電力パスと第２番目電力パスを得る機能と、当該最大電力パスと当該第２番目電力パスの電力比をしきい値βと比較してその結果により予備選択するピークパスの数を切り替える機能と、予備選択したピークパスを除いたパス列の電力を平均化して平均電力を求める機能と、当該平均電力のα倍の値をしきい値γとして当該チャネル推定パス列のうち予備選択したピークパスを除いたチャネル推定パスの各々の電力値をしきい値γと比較してしきい値γ以下の電力値を有するパス値を０クリアする機能を有する。
【００３０】
このように、本例のＣＤＭＡ受信機では、ＴＤ−ＳＣＤＭＡ方式によるデジタル無線通信において、伝播路推定を用いたパス選択可変型のポストプロセシングとして、パス推定範囲内で最大のパス及び２番目に大きいパスの電力比に基づいて予備選択するパスの数を決定することが行われる。
従って、本例のＣＤＭＡ受信機では、総合的に見て、受信信号の誤り率特性を改善することができ、受信特性を改善することができる。また、例えば、送信電力制御を行う構成とすると、干渉電力の低減効果も合わせて期待することができ、システムとしてチャネル容量の増大効果は大きい。
【００３１】
なお、本例のＣＤＭＡ受信機では、拡散コード生成部１の機能により拡散コード出力手段が構成されており、チャネル推定部２の機能によりパス列生成手段が構成されており、ポストプロセシング部３の機能によりポストプロセシング手段が構成されており、データ復調部４の機能により復調手段が構成されている。
また、本例のＣＤＭＡ受信機で行われるようなポストプロセシングの処理は、ＣＤＭＡ方式の全般に適用することが可能であり、例えば、拡散利得の大きいＷ（Ｗｉｄｅｂａｎｄ）−ＣＤＭＡ方式で使用されるＲＡＫＥ受信のように最大比合成を行う方式と比べて、特に、拡散率が低く他ユーザコードからの干渉が大きいＴＤ−ＳＣＤＭＡ方式やＴＤ−ＣＤＭＡ方式に適用するのに有効である。
【００３２】
ここで、本発明に係る受信機などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る受信機などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３３】
【図１】本発明の一実施例に係るＣＤＭＡ受信機の構成例を示す図である。
【図２】ＴＤ−ＳＣＤＭＡ方式における１タイムスロットの構成例を示す図である。
【図３】本発明の一実施例に係るポストプロセシングの処理の手順の一例を示す図である。
【図４】受信伝播路が１パスモデルである場合における効果を説明するための図である。
【図５】受信伝播路が４パスモデルである場合における効果を説明するための図である。
【図６】ポストプロセシングの処理の手順の一例を示す図である。
【図７】１パスモデルにおけるポストプロセシングの特性の比較例を示す図である。
【図８】４パスモデルにおけるポストプロセシングの特性の比較例を示す図である。
【符号の説明】
【００３４】
１・・拡散コード生成部、  ２・・チャネル推定部、  ３・・ポストプロセシング部、  ４・・データ復調部、
【図１】
2007129385.tif 000003
【図２】
2007129385.tif 000004
【図３】
2007129385.tif 000005
【図４】
2007129385.tif 000006
【図５】
2007129385.tif 000007
【図６】
2007129385.tif 000008
【図７】
2007129385.tif 000009
【図８】
2007129385.tif 000010